(57)【要約】【課題】エアコン室外機や給湯器等の収容物を、建物の外側に突出させて外観を損うことなく、外気と常時連通させた状態で効率良く設けることができる外壁部階間収納部を備える建物を提供する。【解決手段】本発明の外壁部階間収納部を備える建物１０には、建物１０の西側の外壁１０ａに隣接する部分の２階床部１２の上方に、外壁１０ａに沿った面が開口面１６となった０．５層分の高さの階間収納部１４が、開口面１６を除く３方を仕切壁１７ａ，１７ｂ，１７ｃによって囲まれて、屋内から出入り可能に設けられている。また、階間収納部１４の外壁１０ａに沿った開口面１６は、外気が流通可能な状態で、外側から目隠し材１８によって覆われている。【選択図】図１
2010007412.tif 000002
【特許請求の範囲】
【請求項１】
建物の外壁に隣接する部分の床部の上方又は天井部の下方に、前記外壁に沿った面が開口面となった０．５層分の高さの階間収納部が、前記開口面を除く３方を仕切壁によって囲まれて、屋内から出入り可能に設けられており、且つ該階間収納部の前記外壁に沿った開口面は、外気が流通可能な状態で外側から目隠し材によって覆われている外壁部階間収納部を備える建物。
【請求項２】
前記階間収納部は、開閉可能な間仕切り壁によって、外壁側の部分と屋内側の部分とに区画されている請求項１に記載の外壁部階間収納部を備える建物。
【請求項３】
前記階間収納部の床面には、防水仕上げが施されている請求項１又は２に記載の外壁部階間収納部を備える建物。
【請求項４】
前記階間収納部を囲う前記仕切壁の屋内に面した部分の少なくとも一部が、透明な壁部材によって形成されている請求項１〜３のいずれかに記載の外壁部階間収納部を備える建物。
【発明の詳細な説明】
【技術分野】
【０００１】
本発明は、外壁に沿った面が開口面となった外壁部階間収納部を備える建物に関する。
【背景技術】
【０００２】
例えば狭小敷地に建てられた住宅建築物等の建物においては、エアコン室外機、給湯器、ゴミ置場、犬小屋等を設置する際に、これらを隣家との間の狭い空間に設置しなければならない場合がある。また、このような狭い空間にエアコン室外機や給湯器等を設置すると、人が通行するのに邪魔になると共に、特に上階部分に設置する場合には建物の外観を損うことなる。また設置されたエアコン室外機や給湯器等が風雨に曝されることになって、保守点検等の点で好ましくなく、耐用年数も短くなる。
【０００３】
このようなことから、建物の外壁部分に屋内に向けて凹部となった凹状収容部を設けて、この凹状収容部にエアコン室外機や給湯器等を、外壁部分から外側に突出させることなく収容するようにした技術も開示されている（例えば、特許文献１、特許文献２参照）。特許文献１や特許文献２に記載の技術では、凹状収容部の前面をルーバー状の扉やガラリ戸で覆って、収容したエアコン室外機や給湯器機等を覆い隠すことにより、建物の外観をすっきしたものにすると共に、凹状収容部と外気との間で吸気や排気、廃熱等を効率良く行うことができるようになっている。
【特許文献１】特開平１０−３２５２３５号公報
【特許文献２】特開２０００−５４５３０号公報
【発明の開示】
【発明が解決しようとする課題】
【０００４】
しかしながら、特許文献１や特許文献２に記載の技術によれば、例えば狭小敷地に建てられた建物の場合に、エアコン室外機や給湯器等を設置する作業や保守点検のための作業は、屋外側の狭い空間から行う必要を生じて多くの手間がかかることになる。また特許文献１や特許文献２に記載の技術によれば、凹状収容部は、建物の１階部分に設けられるものあり、エアコン室外機や給湯器等を２階部分に設置しようとする場合には採用することができない。さらに、エアコン室外機や給湯器等は、一般に、建物の１層分の高さよりも低い、例えば１．４ｍ程度以下の高さを有するものであるため、このような０．５層分程度の高さの低い収容物を外壁部分から外側に突出させることなく設置できるようにする、外気と常時連通可能な空間を、建物の屋内空間に効率良く確保するには特別の工夫を要することになる。
【０００５】
本発明は、このような従来の課題に着目してなされたものであり、例えば１．４ｍ程度以下の高さを有するエアコン室外機や給湯器等の収容物を、建物の外観を損うことなく、外気と常時連通させた状態で効率良く設けることができると共に、収容物を設置する作業や保守点検のための作業を容易に行うことのできる外壁部階間収納部を備える建物を提供することを目的とする。
【課題を解決するための手段】
【０００６】
本発明は、建物の外壁に隣接する部分の床部の上方又は天井部の下方に、前記外壁に沿った面が開口面となった０．５層分の高さの階間収納部が、前記開口面を除く３方を仕切壁によって囲まれて、屋内から出入り可能に設けられており、且つ該階間収納部の前記外壁に沿った開口面は、外気が流通可能な状態で外側から目隠し材によって覆われている外壁部階間収納部を備える建物を提供することにより、上記目的を達成したものである。
【０００７】
ここで、上記記載における０．５層分の高さは、一般に２３０〜４００ｃｍ程度の高さを有する１層分の高さの中間部分に位置する高さを略称するものであり、１層分の高さの１／２の高さの他、１層分の高さの４０〜７５％程度の高さを含むものである。
【０００８】
そして、本発明の外壁部階間収納部を備える建物は、前記階間収納部が、開閉可能な間仕切り壁によって、外壁側の部分と屋内側の部分とに区画されていることが好ましい。
【０００９】
また、本発明の外壁部階間収納部を備える建物は、前記階間収納部の床面には、防水仕上げが施されていることが好ましい。
【００１０】
さらに、本発明の壁部階間収納部を備える建物は、前記階間収納部を囲う前記仕切壁の屋内に面した部分の少なくとも一部が、透明な壁部材によって形成されていることが好ましい。
【発明の効果】
【００１１】
本発明の外壁部階間収納部を備える建物によれば、例えば１．４ｍ程度以下の高さを有するエアコン室外機や給湯器等の収容物を、建物の外観を損うことなく、外気と常時連通させた状態で効率良く設けることができると共に、収容物を設置する作業や保守点検のための作業を容易に行うことができる。
【発明を実施するための最良の形態】
【００１２】
図１に示す本発明の好ましい一実施形態に係る外壁部階間収納部を備える建物１０は、例えば狭小敷地において、隣家１１との間に狭い空間を保持した状態で構築された２階建ての住宅建築物である。本実施形態では、例えば隣家１１の東側の外壁１１ａと対向して配置された、建物１０の西側の外壁１０ａに隣接する部分の２階床部１２の上方には、スキップ床１３が設けられており、このスキップ床１３と２階床部１２との間の空間を０．５層分の高さの階間収納部１４として、この階間収納部１４に、収容物として、例えばエアコン室外機１５が、外気と常時連通した状態で設けられている。
【００１３】
そして、本実施形態の外壁部階間収納部を備える建物１０は、図１及び図２に示すように、建物１０の西側の外壁１０ａに隣接する部分の２階床部１２の上方に、外壁１０ａに沿った面が開口面１６となった０．５層分の高さの階間収納部１４が、開口面１６を除く３方を仕切壁１７ａ，１７ｂ，１７ｃによって囲まれて、屋内から出入り可能に設けられており、且つ階間収納部１４の外壁１０ａに沿った開口面１６は、外気が流通可能な状態で外側から目隠し材１８によって覆われている。
【００１４】
本実施形態では、上述のように、建物１０の西側の外壁１０ａに隣接する部分の２階床部１２の上方には、０．５層分の高さの階間収納部１４が設けられている。すなわち、建物１０の２階部分において、西側の外壁１０ａに沿った南北方向の中央部分に、例えば３畳程度の広さの平面矩形形状のスキップ床１３が、２階床部１２から０．５層分の高さ位置に設けられており、このスキップ床１３と２階床部１２との間の空間が、開口面１６と仕切壁１７ａ，１７ｂ，１７ｃによって４方を囲まれた０．５層分の高さの階間収納部１４となっている。
【００１５】
また、本実施形態では、階間収納部１４は、中央部分を南北方向に横断して設けられた開閉可能なサッシ等による間仕切り壁１９によって、外壁１０ａ側の部分１４ａと屋内側の部分１４ｂとに区画されており、エアコン室外機１５は、外壁１０ａ側の部分１４ａに設置されている。さらに、階間収納部１４の東側の面を仕切る切壁１７ａには、その南北方向中央部分に、開き戸２０によって開閉される出入り口２１が設けられており、この出入り口２１を介して、屋内から階間収納部１４に出入りすることができるようになっている。
【００１６】
なお、本実施形態によれば、建物１０の２階部分のスキップ床１３の周囲には、仕切壁等によって適宜区画されて、リビングルーム、寝室、子供部屋等の各種の居室部や、洗面所、浴室等の水廻り部などが設けられている。また、スキップ床１３の上方の天井部２２を屋根裏部分まで食い込ませることにより（図１参照）、スキップ床１３の上方には、１層分の高さの空間が確保されるようになっており、当該スキップ床１３の上方の空間を、居室部として利用することができるようになっている。
【００１７】
そして、本実施形態では、階間収納部１４の外壁１０ａに沿った開口面１６は、外気が流通可能な状態で外側から目隠し材１８によって覆われている。目隠し材１８は、例えばアルミニウム、ステンレス等の板状部材からなり、矩形形状の開口面１６よりも一回り大きな矩形形状を有している。目隠し材１８は、公知の各種の取付治具２３を用いて、建物１０の外壁１０ａから例えば１０〜２０ｃｍ程度離した状態で、開口面１６を外側から覆って強固に取付け固定されることになる。これによって、階間収納部１４の少なくとも外壁１０ａ側の部分１４ａは、目隠し材１８と外壁１０ａとの間の隙間を介して、屋外の外気と常時連通した状態となっている。
【００１８】
ここで、目隠し材１８には、遮音材が取付けられていることが好ましい。目隠し材１８に遮音材が、例えば張付けられて取付けられていることにより、階間収納部１４に設置したエアコン室外機１５からの騒音が屋外に漏れるのを、効果的に抑制することが可能になる。また、目隠し材１８は、例えばルーバー状の板部材やガラリ戸状の板部材によって構成することもできる。これによって、階間収納部１４の少なくとも外壁１０ａ側の部分１４ａを、当該目隠し材１８を介して屋外の外気とを常時連通した状態とすることが可能になる。
【００１９】
さらに、本実施形態では、図４に示すように、階間収納部１４の底面部や、側面立上がり部には、防水仕上げ２４を施しておくことが好ましい。また底面部に排水勾配をつけると共に、最下流部分に排水口２５を設けておくことが好ましい。これらによって、階間収納部１４の水洗いを容易に行うことが可能になる。さらにまた、階間収納部１４の開口周縁部の外壁１０ａには、水切材２６や縦見切２７を取付けておくことが好ましい。階間収納部１４の開口周縁部に水切材２６や縦見切２７を取付けておくことにより、外壁１０ａに沿って流下する雨水等の水が階間収納部１４の内部に廻り込もうとするのを抑制しつつ、これらの水を階間収納部１４の下方にスムーズに排除することが可能なる。
【００２０】
本実施形態では、例えば複数の居室部で使用される複数のエアコン２８のエアコン室外機１５が、階間収納部１４の外壁１０ａ側の部分１４ａに、防振ゴム２９を介在させた状態で並べて据え付けられて、複数まとめて収容されている。各エアコン室外機１５の配管３０は、例えば図３に示すように、階間収納部１４の開口面１６から目隠し材１８と外壁１０ａとの間の隙間を介して、屋外に延設し、目隠し材１８によって覆われた部分において、外壁１０ａの壁体の内部に挿通されてエアコン２８の付近まで延設した後に、室内に取り込まれてエアコン２８と接続されるようになっている。これによって、エアコン２８の配管３０を外部に露出させることなく、エアコン室外機１５に各々接続することができるようになっている。
【００２１】
また、本実施形態では、階間収納部１４の屋内側の部分１４ｂは、居住者が立入ることのできる収納庫等として有効利用することができるようになっている。
【００２２】
そして、上述の構成を備える本実施形態の外壁部階間収納部を備える建物１０によれば、例えば１．４ｍ程度以下の高さを有するエアコン室外機１５等の収容物を、建物１０の外観を損うことなく、外気と常時連通させた状態で効率良く設けることができると共に、収容物を設置する作業や保守点検のための作業を容易に行うことができる。
【００２３】
すなわち、本実施形態によれば、建物１０の外壁１０ａに隣接する部分の２階床部１２の上方にスキップ床１３が設けられていることにより、外壁１０ａに沿った面が開口面１６となった０．５層分の高さの階間収納部１４が、屋内から出入り可能に、且つ開口面１６を目隠し材１８により外気が流通可能な状態で覆って設けられているので、この０．５層分の高さの階間収納部１４を有効利用して、０．５層分以下の高さの低い収容物を外壁部分から突出させることなく設置できる外気と常時連通可能な空間を、建物の屋内空間に効率良く確保することが可能になる。また、階間収納部１４は屋内から出入り可能となっているので、階間収納部１４が建物１０の上階部分（２階部分）に設けられていても、収容物を階間収納部１４に設置する作業や保守点検のための作業を容易に行うことが可能になる。さらに、階間収納部１４の外壁１０ａに沿った開口面１６の全体が目隠し材１８によって覆い隠されているので、建物１０の外観を損うことがない。
【００２４】
図５は、本発明の好ましい他の実施形態に係る外壁部階間収納部を備える建物の要部を示すものである。図５に示す他の実施形態によれば、上記実施形態の外壁部階間収納部を備える建物１０と略同様の構成を備える他、２階床部１２の上方にスキップ床１３を設けることによって形成された、外壁１０ａに沿った面が開口面１６となった０．５層分の高さの階間収納部１４に、例えば水槽３１、植木３２、箱庭等を設置することにより、当該階間収納部１４を観賞用の空間として利用できるようになっている。すなわち、図５に示す他の実施形態によれば、階間収納部１４を囲う仕切壁１７ａ，１７ｂ，１７ｃのうち、例えば開口面１６と対向する東側の面を仕切る切壁１７ａが、強化ガラス等の透明な壁部材３３によって形成されていると共に、照明ライト３４等が取付けられていて、屋内から階間収納部１４の内部を観賞することができるようになっている。
【００２５】
そして、本他の実施形態に係る外壁部階間収納部を備える建物によっても、例えば透明な壁部材３３を用いた仕切壁１７ａ以外の仕切壁１７ｂ，１７ｃに設けた出入口を介して屋内から階間収納部１４に出入り可能して、収容物を階間収納部１４に設置する作業や保守点検のための作業を容易にすると共に、階間収納部１４を動植物にとって好ましい外気と常時連通する空間として、上記実施形態の建物と略同様の作用効果を奏することになる。
【００２６】
なお、本発明は上記各実施形態に限定されることなく種々の変更が可能である。例えば、階間収納部は、建物の２階床部の上方に設ける必要は必ずしもなく、１階床部の上方や、３階以上の床部の上方に設けることもできる。また、各階の天井部の下方にスキップ床を設けて、天井部とスキップ床との間に階間収納部を形成しても良い。さらに、外壁に沿った面が開口面となった階間収納部には、上述のエアコン室外機や水槽、植木、箱庭等の他、給湯器、ゴミ箱等のその他の種々の収容物を、外気と連通する状態で設置することができる。犬小屋等を配置して、ペット用の空間として階間収納部を用いることもできる。
【図面の簡単な説明】
【００２７】
【図１】本発明の好ましい一実施形態に係る外壁部階間収納部を備える建物の概略の構成を説明する略示断面図である。
【図２】本発明の好ましい一実施形態に係る外壁部階間収納部を備える建物の要部を示す図１のＡ−Ａに沿った略示断面図である。
【図３】本発明の好ましい一実施形態に係る外壁部階間収納部を備える建物の要部を示す図２のＢ−Ｂに沿った略示断面図である。
【図４】階間収納部に防水仕上げを施した状態を説明する略示斜視図である。
【図５】本発明の好ましい他の実施形態に係る展示収納部付き建物の要部を説明する略示断面図である。
【符号の説明】
【００２８】
１０  外壁部階間収納部を備える建物
１０ａ  建物の外壁
１１  隣家
１２  ２階床部
１３  スキップ床
１４  階間収納部
１４ａ  階間収納部の外壁側の部分
１４ｂ  階間収納部の屋内側の部分
１５  エアコン室外機（収容物）
１６  開口面
１７ａ，１７ｂ，１７ｃ  仕切壁
１８  目隠し材
１９  間仕切り壁
２１  出入り口
２４  防水仕上げ
２５  排水口
２８  エアコン
３０  配管
３１  水槽
３２  植木
３３  透明な壁部材
【図１】
2010007412.tif 000003
【図２】
2010007412.tif 000004
【図３】
2010007412.tif 000005
【図４】
2010007412.tif 000006
【図５】
2010007412.tif 000007